(57)【要約】【課題】１構成で様々な出力走査に対応するために、走査変換用のフレームバッファや複数の出力回路を持つ必要があり、回路規模が増大していた。【解決手段】フレームバッファから画像を上下反転して読み出し、出力のラインバッファに左右反転して書き出し、１ラインを分割し、同時出力する。出力設定によって、上下反転、左右反転および同時出力方法を変更する。【選択図】  図１
2014202920.tif 000002
【特許請求の範囲】
【請求項１】
一つの画面を構成する複数の分割領域で並列に描画走査を行う出力走査形態で表示を行う表示装置へ画像を供給する画像処理装置であって、
前記画像を複数の部分画像に分けて並列に処理する複数の映像処理部を有し、前記複数の映像処理部の各々は、
部分画像を保持するフレームバッファと、
ラインデータを保持するラインバッファと、
前記出力走査形態に応じたライン順序で、前記フレームバッファから前記部分画像のラインデータを読み出す読み出し手段と、
前記出力走査形態に応じた画素順で、前記読み出し手段が読み出したラインデータに基づくラインデータを前記ラインバッファに書き込む書き込み手段と、
前記出力走査形態の一つの走査期間において、前記ラインバッファが保持しているラインデータを複数のラインデータに分割して並列に出力する出力手段と、を備えることを特徴とする画像処理装置。
【請求項２】
前記複数の映像処理部は、前記画像を左右分割して得られる左の部分画像と右の部分画像をそれぞれ処理し、
前記読み出し手段は、前記フレームバッファに保持されている前記部分画像を上下に分割して、上画像と下画像から交互にラインデータを読み出し、
前記書き込み手段は、連続して読み出された前記上画像のラインデータと前記下画像のラインデータを一つのラインデータにして前記ラインバッファに書き込むことを特徴とする請求項１に記載の画像処理装置。
【請求項３】
前記読み出し手段は、前記上画像のラインデータを下から順に、前記下画像のラインデータを上から順に読み出し、
前記書き込み手段は、前記左の部分画像について、前記上画像と前記下画像のラインデータのそれぞれの左右を反転して、前記一つのラインデータとすることを特徴とする請求項２に記載の画像処理装置。
【請求項４】
前記読み出し手段は、前記上画像のラインデータを上から順に、前記下画像のラインデータを上から順に読み出すことを特徴とする請求項２に記載の画像処理装置。
【請求項５】
前記複数の映像処理部は、前記画像を左右分割して得られる左の部分画像と右の部分画像をそれぞれ処理し、
前記読み出し手段は、前記フレームバッファに保持されている前記部分画像のラインデータを上から順に読み出し、
前記出力手段は、前記ラインバッファがラインデータを左右に分割して並列に出力することを特徴とする請求項１に記載の画像処理装置。
【請求項６】
前記書き込み手段が前記ラインバッファに書き込む一つのラインデータを前記出力走査形態の一つの走査期間に割り当てるように、水平同期信号を生成する生成手段を更に備えることを特徴とする請求項１乃至５のいずれか１項に記載の画像処理装置。
【請求項７】
前記出力手段は、デュアルリンクにより並列に出力を行うことを特徴とする請求項１乃至６のいずれか１項に記載の画像処理装置。
【請求項８】
複数の出力走査形態から一つの出力走査形態を指定する指定手段を更に備え、
前記指定手段により指定された出力形態に応じて、前記ライン順序と前記画素順が切り換わることを特徴とする請求項１乃至７のいずれか１項に記載の画像処理装置。
【請求項９】
前記映像処理部は、前記部分画像に画像処理を施した結果の部分画像を前記フレームバッファに保持することを特徴とする請求項１乃至８のいずれか１項に記載の画像処理装置。
【請求項１０】
前記映像処理部は、前記読み出し手段が前記フレームバッファから読み出したラインデータに画像処理を施すことを特徴とする請求項１乃至９のいずれか１項に記載の画像処理装置。
【請求項１１】
一つの画面を構成する複数の分割領域により並列に描画走査を行う出力走査形態で表示を行う表示装置へ画像を供給する画像処理装置の制御方法であって、
前記画像を複数の部分画像に分けて並列に処理する複数の映像処理部へ入力する入力工程と、
前記複数の映像処理部の各々において、
部分画像を保持するフレームバッファから、前記出力走査形態に応じたライン順序で、前記部分画像のラインデータを読み出す読み出し工程と、
前記出力走査形態に応じた画素順で、前記読み出し手段が読み出したラインデータに基づくラインデータをラインバッファに書き込む書き込み工程と、
前記出力走査形態の一つの走査期間において、前記ラインバッファが保持しているラインデータを複数のラインデータに分割して並列に出力する出力工程と、を有することを特徴とする画像処理装置の制御方法。
【請求項１２】
コンピュータに、請求項１１に記載された画像処理装置の制御方法の各工程を実行させるためのプログラム。
【発明の詳細な説明】
【技術分野】
【０００１】
本発明は、複数の領域に分割された画面に画像を表示するための画像処理装置およびその制御方法に関する。
【背景技術】
【０００２】
１つの画像を分割して得られた複数の分割画像を複数の映像処理装置で処理し、複数種類の走査方向で、パネルに出力するシステムがある。特許文献１には、映像信号変換における、出力画像を上下２分割および縦横４分割した場合の出力走査方法が提示されている。この例では、各分割画像が水平方向の順次走査で同時に出力される（田の字型走査）。特許文献２には、液晶プロジェクタにおける、４Ｋ２Ｋの解像度パネルを４分割した場合の出力走査方法が提示されている。この例では、各分割画像を画面中心から４隅方向に順次走査で４面同時に出力する（中央放射型走査）。
【先行技術文献】
【特許文献】
【０００３】
【特許文献１】特開２００４−０４８２２４号公報
【特許文献２】特開２００９−０４４２９５号公報
【発明の概要】
【発明が解決しようとする課題】
【０００４】
しかし、田の字型走査および中央放射型走査のそれぞれの出力走査形態に対応するためには、出力画像の走査変換を行うためのフレームバッファが必要になる。また、各領域の同時出力に対応するためには、出力画像と同じ数の出力回路が必要である。そのため、回路規模が増大する。さらに、上記の文献の出力方法では、出力画像を縦方向に分割し、水平方向の順次走査で同時に出力する方法（川の字型走査）には対応できない。
【０００５】
本発明は上記の課題に鑑みてなされたものであり、回路規模の増加を抑えて多様な出力走査の形態に対応可能にすることを目的とする。
【課題を解決するための手段】
【０００６】
上記の目的を達成するための本発明の一態様による画像処理装置は以下の構成を備える。すなわち、
一つの画面を構成する複数の分割領域により並列に描画走査を行う出力走査形態で表示を行う表示装置へ画像を供給する画像処理装置であって、
前記画像を複数の部分画像に分けて並列に処理する複数の映像処理部を有し、前記複数の映像処理部の各々は、
部分画像を保持するフレームバッファと、
ラインデータを保持するラインバッファと、
前記出力走査形態に応じたライン順序で、前記フレームバッファから前記部分画像のラインデータを読み出す読み出し手段と、
前記出力走査形態に応じた画素順で、前記読み出し手段が読み出したラインデータに基づくラインデータを前記ラインバッファに書き込む書き込み手段と、
前記出力走査形態の一つの走査期間において、前記ラインバッファが保持しているラインデータを複数のラインデータに分割して並列に出力する出力手段と、を備える。
【発明の効果】
【０００７】
本発明によれば、回路規模の増加を抑えながら多様な出力走査の形態に対応することが可能となる。
【図面の簡単な説明】
【０００８】
【図１】実施形態による映像表示装置のブロック図。
【図２Ａ】実施形態の中央放射型出力の走査変換方法を示す図。
【図２Ｂ】実施形態の中央放射型出力の走査変換方法を示す図。
【図３】実施形態の田の字型出力の走査変換方法を示す図。
【図４】実施形態の川の字型出力の走査変換方法を示す図。
【図５Ａ】実施形態の画像読み出し方法のフローチャート。
【図５Ｂ】実施形態の画像読み出し方法のフローチャート。
【図６】実施形態の画像出力方法のフローチャート。
【図７】実施形態の出力走査を示す図。
【図８】実施形態の映像表示装置のフローチャート。
【図９】映像出力部の出力方法を示す図。
【発明を実施するための形態】
【０００９】
以下、添付の図面を参照して本発明の好適な実施形態の一例について説明する。
【００１０】
図１は、実施形態による映像表示装置の構成例を示すブロック図である。本実施形態では、一つの画面を構成する複数の分割領域で並列に描画走査を行う出力走査形態で表示を行う表示装置であるパネル１１４に対して画像を供給する画像処理装置として、図１に示すような映像表示装置を例示する。映像表示装置は、画像を複数の部分画像に分けて並列に処理する複数の映像処理部として、第一映像処理装置１０１と第二映像処理装置１１５を有する。映像入力装置１００は、映像表示装置に入力される画像を送信する。第一映像処理装置１０１と第二映像処理装置１１５は入力画像を左右２分割してそれぞれ受信し、並列に処理して出力する。パネル制御部１１３は、第一映像処理装置１０１と第二映像処理装置１１５の出力画像を１つの画面に合成して、パネル１１４に表示する。なお、本実施形態では、パネル１１４が、実行可能な出力走査形態として、図７により後述する３つの形態（中央放射型走査、田の字型走査、川の字型走査）を備えるものとして説明する。
【００１１】
映像表示装置の出力設定は、パネル１１４の出力走査形態にあわせて決定される。ここで、映像表示装置の出力設定について説明する。本実施形態の映像表示装置の出力設定は、中央放射型走査、田の字型走査、川の字型走査に対応しており、不図示の操作部からユーザが所望の出力形態を指定することができる。なお、パネル１１４が実行する出力走査形態をパネル１１４から通信により取得して、出力設定としてもよい。
【００１２】
図７（ａ）は中央放射型走査を示す図である。図中の矢印は、パネルに出力する領域の走査方向を示している。矢印の番号は、走査順序を示している。中央放射型走査では、図７（ａ）の破線で示すように出力領域を縦横に４分割し（分割領域７００，７０１，７０２，７０３）、各分割領域において全画面の中央から４隅に向かって水平方向に順次走査する。各分割領域は、同時に出力（走査）される。４分割領域の左上の分割領域７００では、主走査方向は右から左、副走査方向は下から上である。右上の分割領域７０１では、主走査方向は左から右、副走査方向は、下から上である。左下の分割領域７０２は、主走査方向は右から左、副走査方向は、上から下である。右下の分割領域７０３は、主走査方向は左から右、副走査方向は、上から下である。
【００１３】
図７（ｂ）は田の字型走査を示す図である。田の字型走査は、図７（ｂ）の破線で示すように出力領域を縦横分割し（分割領域７０４，７０５，７０６，７０７）、各分割領域の上から下に向かって水平方向に順次走査する。各分割領域は、同時に出力（走査）される。全ての分割領域で、主走査方向は左から右、副走査方向は、上から下である。
【００１４】
図７（ｃ）は川の字型走査を示す図である。川の字型走査は、図７（ｃ）の破線で示すように出力領域を縦に分割し（分割領域７０８，７０９，７１０，７１１）、各分割領域の上から下に向かって水平方向に順次走査する。各分割領域は、同時に出力（走査）される。全ての分割領域で、主走査方向は左から右、副走査方向は、上から下である。
【００１５】
図１に戻り、実施形態の映像処理装置の構成とデータの流れを説明する。第一映像処理装置１０１の映像受信部１０２は、入力画像の左半分の部分画像（左画像）を受信する。第二映像処理装置１１５の映像受信部１１６は、入力画像の右半分の部分画像（右画像）を受信する。第一映像処理装置１０１と第二映像処理装置１１５はそれぞれ左画像、右画像を処理する点が異なるが、類似の構成を有するので、以下、第一映像処理装置１０１の構成、動作について説明する。なお、映像受信部１０２，１１６は、それぞれ全画像を受信し、第一画像処理部１０３へ出力する際にそれぞれ左画像と右画像を出力するように構成されてもよい。
【００１６】
第一画像処理部１０３は、映像受信部１０２から供給された左画像について、ノイズリダクションやＩＰ変換、台形補正などの処理を行う。処理後の画像データは、ライトＤＭＡコントローラ（ＷＤＭＡＣ１０４）によってフレームバッファ１０５に書き込まれる。リードＤＭＡコントローラ（ＲＤＭＡＣ１０７）は、アドレス生成部１０６が生成するアドレスに従い、フレームバッファ１０５からデータを読み出し、第二画像処理部１０８に送信する。なお、アドレス生成部１０６は、指定された出力設定（出力走査形態）に基づいてアドレスの生成方法を変更し、パネル１１４の出力走査形態に応じたライン順序でフレームバッファに保持されている部分画像のラインを読み出す。出力設定は、たとえば、レジスタ等により指定されるようにすればよい。第二画像処理部１０８は、エッジ強調、輝度むら補正、色むら補正などの処理を行う。
【００１７】
ライン生成部１１０は、第二画像処理部１０８から出力される画素データをラインバッファ１１１に書き込む。ライン生成部１１０は、出力設定をレジスタ等で指定し、指定された出力設定に基づいてラインバッファ１１１への書き込み方法を変更する。すなわち、ライン生成部１１０は、パネル１１４の出力走査形態に応じた画素順で、ＲＤＭＡＣ１０７により読み出されたラインデータに基づくラインデータをラインバッファ１１１に書き込む。水平同期信号生成部１０９は、第二画像処理部１０８から出力される画素データの水平同期信号を生成し、画像出力部１１２へ伝送する。水平同期信号生成部１０９は、指定された出力設定に基づいて水平同期信号の生成方法を変更する。出力設定は、たとえば、レジスタ等で指定されるようにすればよい。画像出力部１１２は、ラインバッファ１１１からラインデータを読み出し、パネル制御部１１３に出力する。
【００１８】
また、画像出力部１１２は、デュアルリンクモードを使用して、画素の同時出力を行う。デュアルリンクモードでは、ラインバッファ１１１の画素データを出力するポートを２つ割り当て、１ラインデータを２つのポートから同時に出力する。図９にデュアルリンクモードでの出力の例を示す。画像９００は１ライン画素数が２０４８である。信号９０１と信号９０２は、それぞれ画像出力部１１２に入力される、画像９００の水平同期信号と垂直同期信号である。デュアルリンクモード時は、１ラインを２分割し、画素［１］から開始して、画素［１０２４］を終了としてリンク０に割り当てる。同様に、画素［１０２５］から開始して、画素［２０４８］を終了としてリンク１に割り当てる。したがって、デュアルリンクモードにおける出力の開始時には、画素［１］と、画素［１０２５］が同時に出力される。画素［２］と画素［１０２６］以降も同様に同時に出力される。画像出力部１１２は、出力設定をレジスタ等で設定し、出力設定に基づいてリンクモードと、リンクに割り当てる開始画素、終了画素の位置を変更する。
【００１９】
次に、映像表示装置の動作を説明する。図８は、実施形態による映像表示装置の動作フローチャートである。（画像処理部の動作等は省略している）まず、第一映像処理装置１０１の映像受信部１０２が入力画像の左画像を受信し、第二映像処理装置１１５の映像受信部１１６が右画像を受信する（Ｓ８００）。
【００２０】
第一画像処理部１０３が画像処理を実施した後、ＷＤＭＡＣ１０４がフレームバッファ１０５に画像を書き込む（Ｓ８０１）。図２Ａ（ａ）は、映像入力装置１００から入力される入力画像２００である。図２Ａ（ｂ）は、入力画像２００を左右分割して得られた、第一映像処理装置１０１で処理される左画像２０１と第二映像処理装置１１５で処理される右画像２０２を示す。画像の左右分割境界はパネル１１４の分割領域を決定する左右分割境界と一致させる。また、入力画像２００を分割する場合、端部の周辺画素を付加し、お互いの領域をオーバーラップして分割するようにしてもよい。映像受信部１０２，１１６は、水平同期信号を分割画像に合わせて半分の周期で挿入する。左右画像それぞれのフレームデータは、図２Ａ（ｂ）に示すようにフレームバッファ１０５に書き込まれる。以上の処理は、出力設定に係らず共通である。これより後の処理は、映像表示装置の出力設定によって変更される。
【００２１】
＜出力設定が中央放射型走査の場合＞
まず、出力設定が中央放射型走査の場合（Ｓ８０２でＹＥＳ）の処理を説明する。ＲＤＭＡＣ１０７は、フレームバッファ１０５の画像を上下に分割し（Ｓ８０３）、上半分の画像（上画像）を上下反転し（Ｓ８０４：ＹＥＳ、Ｓ８０５）、下半分の画像（下画像）は上下反転せずに（Ｓ８０４：ＮＯ）ラインデータを読み出す（Ｓ８０６）。なお、フレームバッファ１０５から画像を読み出すときには、上画像と下画像のラインを交互に読み出す（Ｓ８０６）。こうして読み出された左右画像を、図２（ｃ）の左画像２０３，右画像２０４に示す。
【００２２】
ＲＤＭＡＣ１０７と、アドレス生成部１０６による画像読み出し処理の詳細を図５Ａのフローチャートを用いて説明する。出力設定が中央放射型の場合（Ｓ５００：ＹＥＳ）、アドレス生成部１０６は、上画像と下画像の２つの読み出しアドレスポインタを生成する。まず、アドレス生成部１０６は、上画像の読み出しアドレスポインタを上画像の最終ラインの先頭アドレスにセットする（Ｓ５０１）。また、アドレス生成部１０６は、下画像の読み出しアドレスポインタを下画像の先頭ラインの先頭アドレスにセットする（Ｓ５０２）。
【００２３】
なお、ポインタに設定するラインは、中央放射型走査でパネルに出力する分割境界と一致させる。つまり、第一映像処理装置１０１では、図７（ａ）の分割領域７００の矢印１がＳ５０１でセットされるラインになり、図７（ａ）の分割領域７０２の矢印１がＳ５０２でセットされるラインになる。また、第二映像処理装置１１５では、図７（ａ）の分割領域７０１の矢印１がＳ５０１でセットされるラインになり、図７（ａ）の分割領域７０３の矢印１がＳ５０２でセットされるラインになる。
【００２４】
ＲＤＭＡＣ１０７は、上画像の読み出しアドレスポインタを参照して上画像から１ラインを読み出し（Ｓ５０３）、続いて、下画像の読み出しアドレスポインタを参照して下画像から１ライン読み出す（Ｓ５０４）。上画像と下画像のラインの読み出しが終了したら、アドレス生成部１０６は、上画像の読み出しアドレスポインタを１つ前のラインの先頭アドレスにセットし（Ｓ５０５）、下画像のアドレスポインタを次のラインの先頭アドレスにセットする（Ｓ５０６）。つまり、第一映像処理装置１０１では、図７（ａ）の分割領域７００の矢印２がＳ５０５でセットされるラインになり、分割領域７０２の矢印２がＳ５０６でセットされるラインになる。第二映像処理装置１１５では、図７（ａ）の分割領域７０１の矢印２がＳ５０５でセットされるラインになり、分割領域７０３の矢印２がＳ５０６でセットされるラインになる。以上のようにして、１画像の読み出しを終了するまで、ＲＤＭＡＣ１０７は上画像と下画像のラインを交互に読み出し続ける（Ｓ５０７、Ｓ５０３〜Ｓ５０６）。
【００２５】
図８に戻り、ライン生成部１１０は、読み出された上画像と下画像のラインデータをラインバッファ１１１に格納するが、この際に、左画像からのラインデータについて左右反転する（Ｓ８０７，Ｓ８０８）。本実施形態では、第一映像処理装置１０１が左画像を処理しているので、第一映像処理装置１０１のライン生成部１１０で左右反転が行われ（Ｓ８０７：ＹＥＳ，Ｓ８０９）る。一方、第二映像処理装置１１５のライン生成部１１０では左右反転は行われない（Ｓ８０７：ＮＯ）。画像出力部１１２は、ラインバッファ１１１に保持されているラインデータを、水平同期信号生成部１０９から伝送される水平同期信号周期に基づいて出力する（Ｓ８０９）。
【００２６】
ライン生成部１１０と水平同期信号生成部１０９と画像出力部１１２による画像出力処理を図６のフローチャートを用いて説明する。出力設定が中央放射型の場合（Ｓ６００：ＹＥＳ）、ライン生成部１１０が上画像のラインを受信するとともに水平同期信号生成部１０９がラインの水平同期信号を受信する（Ｓ６０１）。水平同期信号生成部１０９は、上画像のアクティブ信号期間と下画像のアクティブ信号期間の間の水平同期信号をマスクする（Ｓ６０２）。その結果、図２Ｂ（ａ）の水平同期信号２０８，２０９がマスクされ、出力時は、図２Ｂ（ｂ）に示すように、上画像と下画像のラインが同一の水平同期信号周期となる水平同期信号が生成される。
【００２７】
ライン生成部１１０は、下画像のラインを受信する（Ｓ６０３）。ライン生成部１１０は、受信している画像が左画像であれば、受信した上画像と下画像のラインを左右反転する（Ｓ６０４，Ｓ６０５）。本実施形態では、第一映像処理装置１０１のライン生成部１１０ではラインの左右反転が実行され、第二映像処理装置１１５のライン生成部１１０ではラインの左右反転は実行されない。画像出力部１１２は、ライン生成部１１０から出力された上画像と下画像からの２つのラインを連結して、１つのラインデータに合成してラインバッファ１１１に書き込む（Ｓ６０６，Ｓ６０７）。
【００２８】
画像出力部１１２は、デュアルリンクモードでラインバッファ１１１のラインデータを出力することにより、パネル１１４の一つの走査期間において上画像と下画像のラインを出力する（Ｓ６０８）。第一映像処理装置１０１において、画像出力部１１２は、リンク０の開始および終了画素は、画像「あ」の左右反転後のラインの先頭および最終画素にセットする。また、画像出力部１１２は、リンク１の開始および終了画素は、画像「い」の左右反転後のラインの先頭および最終画素にセットする。出力時の左右画像を図２Ｂ（ｂ）に示す。２０５は左画像であるので、２０３の上画像と下画像をそれぞれ左右反転した画像となる。他方、２０６は右画像であるので、２０４と同じ画像となる。図２Ｂ（ｂ）や（ｃ）の丸印と数字は画素とその出力順番を示している。画像「あ」の画素はリンク０から、画像「い」の画素はリンク１から同時に出力される。
【００２９】
画像出力部１１２から出力された画素データは、パネル制御部１１３でもう一方の映像処理装置の画素と合成され、パネル１１４に出力される（Ｓ８１７）。パネルに出力される画像を図２（ｅ）に示す。左右分割画像が合成され、画像２０７として表示される。このときの出力走査は、２０８に示すように中央放射型走査になる。
【００３０】
＜出力設定が田の字型走査の場合＞
次に、出力設定が田の字型走査の場合の処理を説明する。田の字型走査の場合は（Ｓ８０２：ＮＯ，Ｓ８１０：ＹＥＳ）、ＲＤＭＡＣ１０７は、フレームバッファ１０５の画像を上下に分割し（Ｓ８１１）、フレームバッファ１０５から上下反転せずにラインデータを読み出す（Ｓ８１２）。ＲＤＭＡＣ１０７は、ラインバッファ１１１からラインデータを読み出すときには、上画像と下画像のラインを交互に読み出す（Ｓ８１２）。こうして読み出された左右画像を、図３（ａ）の３００，３０１に示す。
【００３１】
出力設定が田の字型の場合のＲＤＭＡＣ１０７とアドレス生成部１０６による画像読み出し処理について図５Ａ、図５Ｂのフローチャートを用いて説明する。出力設定が田の字型の場合（Ｓ５００：ＮＯ，Ｓ５０８：ＹＥＳ）、アドレス生成部１０６は、上画像と下画像の２つの読み出しアドレスポインタを生成する。上画像の読み出しアドレスポインタは上画像の先頭ラインの先頭アドレスにセットし（Ｓ５０９）、下画像の読み出しアドレスポインタは下画像の先頭ラインの先頭アドレスにセットする（Ｓ５１０）。
【００３２】
なお、ポインタに設定する最初のラインは、田の字型走査でパネル１１４に出力する分割境界と一致させる。つまり、第一映像処理装置１０１の場合は、図７（ｂ）の分割領域７０４の矢印１がＳ５０９でセットされるラインになり、分割領域７０６の矢印１がＳ５１０でセットされるラインになる。第二映像処理装置１１５の場合は、図７（ｂ）の分割領域７０５の矢印１がＳ５０９でセットされるラインになり、分割領域７０７の矢印１がＳ５１０でセットされるラインになる。
【００３３】
ＲＤＭＡＣ１０７は、上画像の読み出しアドレスポインタを参照して上画像から１ラインのラインデータを読み出し（Ｓ５１１）、続いて、下画像の読み出しアドレスポインタを参照して下画像から１ラインのラインデータを読み出す（Ｓ５１２）。上画像と下画像のラインデータの読み出しが終了したら、アドレス生成部１０６は、上画像の読み出しアドレスポインタを次のラインの先頭アドレスにセットし（Ｓ５１３）、下画像の読み出しアドレスポインタを次のラインの先頭アドレスにセットする（Ｓ５１４）。
【００３４】
つまり、第一映像処理装置１０１の場合は、図７（ｂ）の分割領域７０４の矢印２がＳ５１３でセットされるラインになり、分割領域７０６の矢印２がＳ５１４でセットされるラインになる。第二映像処理装置１１５の場合は、図７（ｂ）の分割領域７０５の矢印２がＳ５１３でセットされるラインになり、図７（ｂ）の分割領域７０７の矢印２がＳ５１４でセットされるラインになる。以上のように、１画像の読み出しを終了するまで、ＲＤＭＡＣ１０７は、上画像と下画像のラインを交互に読み出し続ける（Ｓ５１５、Ｓ５１１〜Ｓ５１４）。
【００３５】
図８に戻り、次に、画像出力部１１２は、ラインデータを、水平同期信号生成部１０９から伝送される水平同期信号周期に基づいて出力する（Ｓ８１３）。ライン生成部１１０と水平同期信号生成部１０９と画像出力部１１２による画像出力処理について図６のフローチャートを用いて説明する。
【００３６】
出力設定が他の字型の場合（Ｓ６００：ＮＯ，Ｓ６０９：ＹＥＳ）、ライン生成部１１０が上画像のラインを受信するとともに水平同期信号生成部１０９がラインの水平同期信号を受信する（Ｓ６１０）。出力設定が田の字型の場合も、上述した中央放射型と同様に、水平同期信号生成部１０９は、上画像のラインと下画像のラインの間の水平同期信号をマスクする（Ｓ６１１）。ライン生成部１１０は、下画像のラインデータを受信すると（Ｓ６１２）、上画像と下画像のラインを左右反転せずに連結して１ラインに合成し（Ｓ６１３）、ラインバッファ１１１に書き込む（Ｓ６１４）。画像出力部１１２は、デュアルリンクモードでラインバッファ１１１のラインデータを出力する（Ｓ６１５）。これにより、パネル１１４の一つの走査期間において、上画像と下画像のラインデータが並列に出力されることになる。
【００３７】
画像出力部１１２のリンク０の開始および終了画素は、画像「あ」のラインの先頭および最終画素にセットする。画像出力部のリンク１の開始および終了画素は、画像「い」のラインの先頭および最終画素にセットする。出力時の左右画像を図３（ｂ）に示す。図３（ｂ）の丸印と数字は画素とその出力順番を示している。画像「あ」の画素はリンク０から、画像「い」の画素はリンク１から同時に出力される。
【００３８】
画像出力部１１２から出力された画素データは、パネル制御部１１３でもう一方の映像処理装置の画素と合成され、パネル１１４に出力される（Ｓ８１７）。パネルに出力される画像を図３（ｃ）に示す。左右分割画像が合成され、画像３０２として表示される。このときの出力走査は、３０３に示すように田の字型走査になる。
【００３９】
＜出力設定が川の字型走査の場合＞
出力設定が川の字型の場合の処理を説明する。本実施形態では、出力設定が中央放射型走査でも田の字型走査でもない場合は川の字型走査と判断する（Ｓ８０２：ＮＯ，Ｓ８１０：ＮＯ）。川の字型の場合、ＲＤＭＡＣ１０７は、フレームバッファ１０５の画像を上下分割せずに、ラインを上から下に連続に読み出す（Ｓ８１４）。このように読み出された左右画像を、図４（ａ）の４００，４０１に示す。
【００４０】
川の字型の場合の、ＲＤＭＡＣ１０７とアドレス生成部１０６による画像読み出し処理を図５Ａ，図５Ｂのフローチャートを用いて説明する。出力設定が川の字型の場合（Ｓ５００：ＮＯ，Ｓ５０８：ＮＯ）、アドレス生成部１０６は、画像の読み出しアドレスポインタを画像の先頭ラインの先頭アドレスにセットする（Ｓ５１６）。つまり、第一映像処理装置１０１の場合は、図７（ｃ）の分割領域７０８と分割領域７０９の矢印１がＳ５１６でセットされるラインになる。また、第二映像処理装置１１５の場合は、図７（ｂ）の分割領域７１０と分割領域７１１の矢印１がＳ５１６でセットされるラインなる。
【００４１】
ＲＤＭＡＣ１０７は、画像の読み出しアドレスポインタを参照し、画像を１ライン読み出す（Ｓ５１７）。画像のラインの読み出しが終了したら、アドレス生成部１０６は、画像の読み出しアドレスポインタを次のラインの先頭アドレスにセットする（Ｓ５１８）。つまり、第一映像処理装置１０１の場合は、図７（ｃ）の分割領域７０８と分割領域７０９の矢印２がＳ５１８でセットされるラインになる。第二映像処理装置１１５の場合は、図７（ｂ）の分割領域７１０と分割領域７１１の矢印２がＳ５１８でセットされるラインなる。以上のように、１画像の読み出しを終了するまで、ＲＤＭＡＣ１０７は、画像のラインを読み出し続ける（Ｓ５１９、Ｓ５１７〜Ｓ５１８）。
【００４２】
図８に戻り、画像出力部１１２は、川の字型走査の場合、ラインデータを分割して（Ｓ８１５）、リンク０とリンク１により同時出力する（Ｓ８１６）。ライン生成部１１０と水平同期信号生成部１０９と画像出力部１１２による、川の字型の場合の画像出力方法を図６のフローチャートを用いて説明する。出力設定が川の字型の場合は（Ｓ６００：ＮＯ，Ｓ６０９：ＮＯ）、水平同期信号のマスクや、ラインの左右反転、ライン合成は行わない。まず、ライン生成部１１０が上画像のラインを受信するとともに水平同期信号生成部１０９がラインの水平同期信号を受信する（Ｓ６１６）。ライン生成部１１０は、受信したラインデータをラインバッファ１１１に書き込む（Ｓ６１７）。
【００４３】
画像出力部１１２は、１ラインを分割し、デュアルリンクモードでラインバッファ１１１のラインデータを出力する（Ｓ６１８）。このときの分割境界は、川の字型走査で出力するパネルの分割境界と一致させる。すなわち、第一映像処理装置１０１において画像出力部１１２のリンク０の開始および終了画素は画像「あい」の左分割領域のラインの先頭および最終画素にセットされる。また、画像出力部１１２のリンク１の開始および終了画素は、画像「あい」の右分割領域のラインの先頭および最終画素にセットされる。出力時の左右画像を図４（ｂ）に示す。図４（ｂ）の丸印と数字は画素とその出力順番を示している。画像「あい」の左分割領域の画素はリンク０から、画像「あい」の右分割領域画素はリンク１から同時に出力される。画像出力部１１２で出力した画素データは、パネル制御部１１３でもう一方の画像処理装置の画素と合成され、パネルに出力される（Ｓ８１７）。パネルに出力される画像を図４（ｃ）に示す。左右分割画像が合成され、画像４０２として表示される。このときの出力走査は、４０３に示すように川の字型走査になる。
【００４４】
なお、上記実施形態では、入力画像を左右２分割としたが、パネル出力の分割境界と入力画像の分割境界が一致していればよく、２分割に限定されるものではない。また、パネル出力の分割境界で入力画像を分割した場合、端点処理時の周辺画素領域を第一映像処理装置１０１と第二映像処理装置１１５の間で送受信するようにしてもよい。また、出力をデュアルリンクとしているが、デュアルリンクに限定しない。ＬＶＤＳなどの規格では、クアッドリンクによる４ポート同時出力が可能である。
【００４５】
以上のように本実施形態の映像表示装置によれば、フレームバッファ１０５からの読出し時の上下反転、ラインバッファ１１１への書き込み時の左右反転やラインバッファ１１１からの同時出力の方法が、出力設定に応じて変更される。そのため、出力の走査変換用のフレームバッファと、複数系統の出力回路を持つ必要がなく、回路量を削減できる。また、同一構成で、田の字型、川の字型、中央放射型の出力走査に対応可能である。
【００４６】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014202920.tif 000003
【図２Ａ】
2014202920.tif 000004
【図２Ｂ】
2014202920.tif 000005
【図３】
2014202920.tif 000006
【図４】
2014202920.tif 000007
【図５Ａ】
2014202920.tif 000008
【図５Ｂ】
2014202920.tif 000009
【図６】
2014202920.tif 000010
【図７】
2014202920.tif 000011
【図８】
2014202920.tif 000012
【図９】
2014202920.tif 000013